(57)【要約】【課題】１条植えプランタケースの植付機構に対応して設けられる側条施肥用ノズル及び深層施肥用ノズルの配置を最適化する。【解決手段】走行機体２の後部に７条植えの植付作業機３を連結して構成される乗用田植機１であって、１条植えプランタケース７Ｂの植付機構８に対応して設けられる深層施肥用ノズル３２Ｂは、１条植えプランタケース７Ｂにその左右中心から植付機構８側にオフセットして設けられ、１条植えプランタケース７Ｂの植付機構８に対応して設けられる側条施肥用ノズル３１Ｂは、左右方向において植付機構８を挟んで深層施肥用ノズル３２Ｂの反対側に位置し、センターフロート１８に設けられる。【選択図】図１１
2018011541.tif 000002
【特許請求の範囲】
【請求項１】
走行機体の後部に７条植えの植付作業機を連結して構成される乗用田植機であって、
前記植付作業機は、
左右方向に沿って配置される横フレームと、
左右方向に間隔を存して横フレームから後方に延出する複数のプランタケースと、
複数のプランタケースの上方に配置される苗載台と、
各プランタケースの後部側面部に設けられ、苗載台から苗を掻取って圃場に植付ける植付機構と、
中央側３条分の植付位置を整地するセンターフロートと、
外側２条分の植付位置を整地する左右のサイドフロートと、
各植付位置の側方で土中にペースト肥料を吐出する複数の側条施肥用ノズルと、
側条施肥用ノズルよりも深層でペースト肥料を吐出する複数の深層施肥用ノズルと、を備え、
複数のプランタケースは、
プランタケースの後部左右両側面部に植付機構を備える２条植えプランタケースと、
プランタケースの後部左右いずれか一側面部に植付機構を備える１条植えプランタケースと、を含み、
センターフロートにより整地された中央側３条分の植付位置には、２条植えプランタケース及び１条植えプランタケースの植付機構で３条分の苗が植え付けられ、
左右のサイドフロートにより整地された外側２条分の植付位置には、それぞれ２条植えプランタケースの植付機構で２条分の苗が植え付けられ、
２条植えプランタケースの植付機構に対応して設けられる側条施肥用ノズルは、２条分が一体化され、２条植えプランタケースの直下に配置されるセンターフロート又はサイドフロートに設けられ、
２条植えプランタケースの植付機構に対応して設けられる深層施肥用ノズルは、２条植えプランタケースの左右中心部に設けられ、
１条植えプランタケースの植付機構に対応して設けられる深層施肥用ノズルは、１条植えプランタケースにその左右中心から植付機構側にオフセットして設けられ、
１条植えプランタケースの植付機構に対応して設けられる側条施肥用ノズルは、左右方向において植付機構を挟んで深層施肥用ノズルの反対側に位置し、センターフロート又はサイドフロートに設けられることを特徴とする乗用田植機。
【請求項２】
前記１条植えプランタケースに対応して設けられる深層施肥用ノズルの肥料吐出量は、２条植えプランタケースに対応して設けられる深層施肥用ノズルの肥料吐出量よりも抑制されることを特徴とする請求項１に記載の乗用田植機。
【発明の詳細な説明】
【技術分野】
【０００１】
本発明は、走行機体の後部に７条植えの植付作業機を連結して構成される乗用田植機に関する。
【背景技術】
【０００２】
走行機体の後部に７条植えの植付作業機を連結して構成される乗用田植機が知られている。７条植えの乗用田植機は、植え付け幅が枕地幅と略一致し、枕地の植え付けを１行程で行うことができるので、圃場内における移動量が減り、作業効率が向上するという利点がある。
【０００３】
また、植付作業機のなかには、左右方向に沿って配置される横フレームと、左右方向に間隔を存して横フレームから後方に延出する複数のプランタケースと、複数のプランタケースの上方に配置される苗載台と、各プランタケースの後部側面部に設けられ、苗載台から苗を掻取って圃場に植付ける植付機構と、植付位置を整地するセンターフロート及び左右のサイドフロートと、各植付位置の側方で土中にペースト肥料を吐出する複数の側条施肥用ノズルと、側条施肥用ノズルよりも深層でペースト肥料を吐出する複数の深層施肥用ノズルと、を備え、苗の植え付けと同時に側条施肥及び深層施肥を行うものがある（例えば、特許文献１参照）。
【先行技術文献】
【特許文献】
【０００４】
【特許文献１】特許第２６３０５００号公報
【発明の概要】
【発明が解決しようとする課題】
【０００５】
しかしながら、７条植えの植付作業機では、プランタケースの後部左右両側面部に植付機構を備える２条植えプランタケースと、プランタケースの後部左右いずれか一側面部に植付機構を備える１条植えプランタケースとが混在し、プランタケース間の間隔が不均等になるため、側条施肥用ノズル及び深層施肥用ノズルの配置が難しいだけでなく、施肥量に過不足が生じる虞があった。
【課題を解決するための手段】
【０００６】
本発明は、上記の如き実情に鑑みこれらの課題を解決することを目的として創作されたものであって、請求項１の発明は、走行機体の後部に７条植えの植付作業機を連結して構成される乗用田植機であって、前記植付作業機は、左右方向に沿って配置される横フレームと、左右方向に間隔を存して横フレームから後方に延出する複数のプランタケースと、複数のプランタケースの上方に配置される苗載台と、各プランタケースの後部側面部に設けられ、苗載台から苗を掻取って圃場に植付ける植付機構と、中央側３条分の植付位置を整地するセンターフロートと、外側２条分の植付位置を整地する左右のサイドフロートと、各植付位置の側方で土中にペースト肥料を吐出する複数の側条施肥用ノズルと、側条施肥用ノズルよりも深層でペースト肥料を吐出する複数の深層施肥用ノズルと、を備え、複数のプランタケースは、プランタケースの後部左右両側面部に植付機構を備える２条植えプランタケースと、プランタケースの後部左右いずれか一側面部に植付機構を備える１条植えプランタケースと、を含み、センターフロートにより整地された中央側３条分の植付位置には、２条植えプランタケース及び１条植えプランタケースの植付機構で３条分の苗が植え付けられ、左右のサイドフロートにより整地された外側２条分の植付位置には、それぞれ２条植えプランタケースの植付機構で２条分の苗が植え付けられ、２条植えプランタケースの植付機構に対応して設けられる側条施肥用ノズルは、２条分が一体化され、２条植えプランタケースの直下に配置されるセンターフロート又はサイドフロートに設けられ、２条植えプランタケースの植付機構に対応して設けられる深層施肥用ノズルは、２条植えプランタケースの左右中心部に設けられ、１条植えプランタケースの植付機構に対応して設けられる深層施肥用ノズルは、１条植えプランタケースにその左右中心から植付機構側にオフセットして設けられ、１条植えプランタケースの植付機構に対応して設けられる側条施肥用ノズルは、左右方向において植付機構を挟んで深層施肥用ノズルの反対側に位置し、センターフロート又はサイドフロートに設けられることを特徴とする。
また、請求項２の発明は、請求項１に記載の乗用田植機であって、前記１条植えプランタケースに対応して設けられる深層施肥用ノズルの肥料吐出量は、２条植えプランタケースに対応して設けられる深層施肥用ノズルの肥料吐出量よりも抑制されることを特徴とする。
【発明の効果】
【０００７】
請求項１の発明によれば、１条植えプランタケースの植付機構に対応して設けられる深層施肥用ノズルは、１条植えプランタケースにその左右中心から植付機構側にオフセットして設けられるので、１条植えプランタケースにおいて効率の良い深層施肥を行うことができる。また、１条植えプランタケースの植付機構に対応して設けられる側条施肥用ノズルは、左右方向において植付機構を挟んで深層施肥用ノズルの反対側に位置するので、オフセットされた深層施肥用ノズルとの干渉を回避できる。また、１条植えプランタケースに対応する深層施肥用ノズルは、２条植えプランタケースに対応する深層施肥用ノズルと同様にプランタケースに設けられ、１条植えプランタケースに対応する側条施肥用ノズルは、２条植えプランタケースに対応する側条施肥用ノズルと同様にセンターフロート又はサイドフロートに設けられるので、１条植えプランタケースに対応する深層施肥用ノズル及び側条施肥用ノズルと、２条植えプランタケースに対応する深層施肥用ノズル及び側条施肥用ノズルと、の間で多くの部品を兼用化できる。
また、請求項２の発明によれば、１条植えプランタケースに対応して設けられる深層施肥用ノズルの肥料吐出量は、２条植えプランタケースに対応して設けられる深層施肥用ノズルの肥料吐出量よりも抑制されるので、１条植えプランタケースで植え付けられる苗に対する過剰な深層施肥を回避できる。
【図面の簡単な説明】
【０００８】
【図１】乗用田植機の平面図である。
【図２】植付作業機の背面図である。
【図３】植付作業機の正面図である。
【図４】植付作業機のプランタケース及び植付機構の配置を示す要部平面図である。
【図５】植付作業機のプランタケース及び植付機構の配置を示す要部底面図である。
【図６】植付作業機のフロート及び車輪跡消し装置の配置を示す要部斜視図である。
【図７】植付作業機のフロート及び車輪跡消し装置の配置を示す要部底面図である。
【図８】植付作業機の車輪跡消し装置の取付構造を示す要部側面図である。
【図９】車輪跡消し装置を前方から見た斜視図である。
【図１０】車輪跡消し装置を後方から見た斜視図である。
【図１１】植付作業機の施肥用ノズルの取付構造を示す要部斜視図である。
【図１２】植付作業機の２条植えプランタケースに対する深層施肥用ノズルの取付構造を示す要部側面図である。
【図１３】植付作業機の１条植えプランタケースに対する深層施肥用ノズルの取付構造を示す要部側面図である。
【発明を実施するための形態】
【０００９】
以下、本発明の実施の形態について、図面に基づいて説明する。図１において、１は乗用田植機であって、該乗用田植機１は、走行機体２の後部に昇降リンク機構（図示せず）を介して７条植えの植付作業機３を連結して構成されている。走行機体２は、植付動力を出力する植付ＰＴＯ軸（図示せず）を備えており、ここから出力される動力が、ユニバーサルジョイント（図示せず）が介在する屈曲自在な伝動軸（図示せず）を介して植付作業機３に伝動される。
【００１０】
図２〜図１３に示すように、植付作業機３は、横フレーム５、苗載台６、プランタケース７Ａ、７Ｂ、植付機構８、入力ケース９、植付伝動軸１０、横送り変速機構１１、横送り軸１２などを備えて構成されている。横フレーム５は、植付作業機３に左右方向に沿って配置される四角筒状のフレーム部材であり、左右中心位置から前方に突出するローリング軸１３を介して、昇降リンク機構の後端部に左右ローリング自在に支持される。
【００１１】
苗載台６は、前高後低状に傾斜した苗載面を有しており、プランタケース７Ａ、７Ｂの上方に左右スライド自在に配置され、横送り軸１２の回転に応じて左右方向に横送りされる。また、苗載台６には、横送りの折り返し位置で苗載面上のマット苗を下方へ送る縦送り機構１４が設けられている。
【００１２】
プランタケース７Ａ、７Ｂは、左右方向に間隔を存して並列状に配置され、前端部が横フレーム５で一体的に支持される。植付機構８は、プランタケース７Ａ、７Ｂの後部側面部に設けられ、苗載台６上の苗を掻取って圃場に植付ける。具体的に説明すると、苗載台６の下端部には、苗載台６に載置されたマット苗の下限ストッパとして機能するエプロン１５が配置されており、植付機構８は、エプロン１５に形成される掻き取り口（図示せず）を介して、苗載台６に載置されたマット苗の下端部から苗を掻き取る。
【００１３】
エプロン１５は、上下位置が変更可能であり、この上下位置変更に基づいて植付機構８による苗の掻取量が調節される。具体的には、エプロン１５の位置を下側に変更すると、植付機構８による苗の掻取量が増加する一方、エプロン１５の位置を上側に変更すると、植付機構８による苗の掻取量が減少する。植付作業機３には、横フレーム５を跨いで上前方に延設される掻取量調節レバー１６が設けられており、植付作業機３を上昇させた状態で、走行機体２側から掻取量調節レバー１６を操作すると、エプロン１５の上下位置が変わり、植付機構８による苗の掻取量が調節される。
【００１４】
また、植付作業機３には、植付機構８による苗の植付深さを調節する植付深さ調節レバー１７が設けられている。植付深さ調節レバー１７は、掻取量調節レバー１６と同様に、横フレーム５を跨いで上前方に延設されており、植付作業機３を上昇させた状態で、走行機体２側から植付深さ調節レバー１７を操作すると、プランタケース７の下方に配置されるフロート１８、１９の上下位置が変更され、それに伴って植付機構８による苗の植付深さが調節される。
【００１５】
入力ケース９は、横フレーム５の左右中間部に取り付けられ、走行機体２側から動力を入力する。入力ケース９の入力軸９ａは、前述したようにユニバーサルジョイントが介在する屈曲自在な伝動軸を介して走行機体２側の植付ＰＴＯ軸に連結されるので、植付作業機３のローリングに伴うユニバーサルジョイントの折れ角変化を考慮すると、横フレーム５に対する入力ケース９の取付位置は、ローリング軸１３に可及的に近づけることが望ましい。
【００１６】
植付伝動軸１０は、横フレーム５の後方下方に並列状に配置され、入力ケース９が入力した動力を各プランタケース７Ａ、７Ｂ及び横送り変速機構１１に伝動する。横送り変速機構１１は、横送り軸１２への動力伝動経路に介在される変速機構であり、横送り軸１２の回転速度を変速することにより、苗載台６の横送り速度を調節できる。横送り軸１２は、外周部に無端状のラセン溝を有するスクリュー軸であり、その回転に応じて軸上を左右往復移動する横送り体１２ａが設けられ、該横送り体１２ａを介して苗載台６が横送りされる。
【００１７】
つぎに、植付作業機３におけるプランタケース７Ａ、７Ｂなどの配置構成について、主に図２〜図５を参照して説明する。
【００１８】
複数のプランタケース７Ａ、７Ｂには、プランタケース７Ａの後部左右両側面部に植付機構８を備える２条植えプランタケース７Ａと、プランタケース７Ｂの後部左右いずれか一側面部に植付機構８を備える１条植えプランタケース７Ｂと、が含まれており、３つの２条植えプランタケース７Ａと１つの１条植えプランタケース７Ｂとの組み合わせで７条植えの植付作業機３が構成されている。このように構成される植付作業機３では、プランタケース７Ａ、７Ｂ間の間隔が不均等になるため、１条植えプランタケース７Ｂが、掻取量調節レバー１６、植付深さ調節レバー１７、入力ケース９などと干渉し、バランスの良い配置構成が困難になる可能性がある。
【００１９】
そこで、本実施形態の植付作業機３では、掻取量調節レバー１６及び植付深さ調節レバー１７を、植付作業機３の左右中心（ローリング軸１３）に対して左右いずれか一側方に配置し、１条植えプランタケース７Ｂを、植付作業機３の左右中心に対して左右いずれか他側方に配置している。このようにすると、１条植えプランタケース７Ｂと調節レバー類（掻取量調節レバー１６及び植付深さ調節レバー１７）とが植付作業機３の左右中心に対して左右に振り分けて配置されるので、１条植えプランタケース７Ｂと調節レバー類との干渉を回避しつつ、バランスの良い配置構成が可能となる。
【００２０】
図４に示すように、本実施形態の植付作業機３では、植付作業機３の左右中心に対して一側方に２つの２条植えプランタケース７Ａを配置し、植付作業機３の左右中心に対して他側方にそれぞれ１つの２条植えプランタケース７Ａ及び１条植えプランタケース７Ｂを配置している。換言すると、植付作業機３の左右外側に２条植えプランタケース７Ａを配置し、植付作業機３の左右内側に２条植えプランタケース７Ａと１条植えプランタケース７Ｂを配置している。
【００２１】
本実施形態の植付作業機３では、植付作業機３の左右中心に対して左右いずれか他側方に１条植えプランタケース７Ｂを配置するにあたり、１条植えプランタケース７Ｂの一側面部（植付作業機３の左右中心側を向く側面）に植付機構８を配置している。このようにすると、横フレーム５における１条植えプランタケース７Ｂの取付位置とローリング軸１３の取付位置との間に入力ケース９の取付位置を確保できるので、１条植えプランタケース７Ｂと入力ケース９との干渉を回避できるだけでなく、入力ケース９をローリング軸１３に可及的に近づけ、植付作業機３のローリングに伴うユニバーサルジョイントの折れ角変化を抑制することが可能になる。
【００２２】
つぎに、植付作業機３に設けられるフロート１８、１９及び車輪跡消し装置２０について、主に図６〜図１０を参照して説明する。
【００２３】
フロート１８、１９には、中央側３条分の植付位置を整地するセンターフロート１８と、外側２条分の植付位置を整地する左右のサイドフロート１９と、が含まれている。センターフロート１８及びサイドフロート１９は、揺動支軸１８ａ、１９ａを支点として上下揺動しながら田面を滑走することにより植付位置の整地を行う。また、センターフロート１８は、田面に対する植付作業機３の高さを感知する感知フロートとしても機能する。つまり、センターフロート１８は、図示しない連結機構を介して走行機体２側の油圧昇降機構（図示せず）に連結されており、油圧昇降機構がセンターフロート１８の上下動に応じて植付作業機３を自動的に昇降することにより、田面に対する植付作業機３の高さが略一定に保たれる。
【００２４】
植付作業機３には、前述した植付深さ調節レバー１７の操作に応じてセンターフロート１８及びサイドフロート１９の上下位置を変更する植付深さ調節機構２１が設けられている。植付深さ調節機構２１は、複数のプランタケース７Ａ、７Ｂの下方に左右方向に沿って配置される回動自在なフロート連結軸２２と、左右方向に間隔を存してフロート連結軸２２から後下方に延出する複数のフロート支持アーム２３と、各フロート支持アーム２３の先端部に揺動支軸１８ａ、１９ａを介して上下揺動可能に連結される前述のセンターフロート１８及びサイドフロート１９と、フロート連結軸２２を回動操作可能であり、フロート連結軸２２の回動に応じたセンターフロート１８及びサイドフロート１９の上下位置変更に基づいて植付機構８による苗の植付深さを調節する前述の植付深さ調節レバー１７と、を備える。
【００２５】
植付作業機３には、走行機体２の車輪跡（後輪２ａの走行跡）を消す左右の車輪跡消し装置２０が設けられている。左右の車輪跡消し装置２０は、後輪２ａの後方で、且つセンターフロート１８とサイドフロート１９との間に配置され、センターフロート１８やサイドフロート１９と同様に上下揺動しながら田面を滑走することで車輪跡を整地する。
【００２６】
本実施形態の車輪跡消し装置２０は、車輪跡を消す整地板２４と、整地板２４を支持する支持ブラケット２５と、支持ブラケット２５を上下揺動可能に支持するとともに、植付深さ調節レバー１７によるフロート連結軸２２の回動操作に応じて整地板２４の上下位置を変更する平行リンク機構２６と、田面に対する整地板２４の押圧力を調節する押圧力調節機構３０と、を備える。
【００２７】
このような車輪跡消し装置２０によれば、植付深さ調節レバー１７によるフロート連結軸２２の回動操作に応じて整地板２４の上下位置を変更する平行リンク機構２６を備えるので、専用の上下位置調節機構を設けなくても、整地板２４の基本姿勢を維持しながら、整地板２４を適正な上下位置に調節できる。また、田面に対する整地板２４の押圧力を調節する押圧力調節機構３０を備えることにより、圃場条件に応じた押圧力調節に基づいて良好な車輪跡消し機能を発揮できる。以下、車輪跡消し装置２０の各部を詳細に説明する。
【００２８】
整地板２４は、支持ブラケット２５に取り付けられる取付部２４ａと、取付部２４ａの下端から後下方に延出する傾斜板部２４ｂと、傾斜板部２４ｂの下端から後方に延出する底板部２４ｃと、取付部２４ａ及び傾斜板部２４ｂの左右両端から前方に向けて末広がり状に延出する泥水案内部２４ｄと、を備える。このような整地板２４によれば、傾斜板部２４ｂと底板部２４ｃとによって車輪跡を整地できるだけでなく、センターフロート１８及びサイドフロート１９の前方に存在する泥水を泥水案内部２４ｄで積極的に整地板２４内に収集することにより、センターフロート１８及びサイドフロート１９による泥押しや、それに伴うセンターフロート１８及びサイドフロート１９のバタつきを抑制できる。
【００２９】
さらに、整地板２４には、収集した泥水を逃がす切欠き部２４ｅが形成されている。具体的には、傾斜板部２４ｂから底板部２４ｃに亘って前後方向に沿う切欠き部２４ｅを左右方向に所定間隔を存して複数形成している。このような整地板２４によれば、収集した泥水を切欠き部２４ｅから逃がすことにより、整地板２４の泥押しやバタつきを抑制できる。
【００３０】
支持ブラケット２５は、平行リンク機構２６に連結されるリンク連結部２５ａと、リンク連結部２５ａから前方に延出し、その先端部で整地板２４を支持する整地板支持部２５ｂと、を備え、整地板２４は、支持ブラケット２５の整地板支持部２５ｂに対し、ボルトＢを介して着脱可能に取り付けられる。このような整地板２４の取付構造によれば、仕様や圃場条件に応じて形状が異る整地板２４との交換が容易になる。
【００３１】
平行リンク機構２６は、フロート連結軸２２から後下方に延出し、その先端部で支持ブラケット２５を上下揺動可能に支持する下側リンク２７と、後端部で支持ブラケット２５の揺動範囲を規定する上側リンク２８と、を備える。つまり、平行リンク機構２６の構成要素である下側リンク２７の前端部をフロート連結軸２２に一体に連結しているので、植付深さ調節レバー１７によるフロート連結軸２２の回動操作に応じて整地板２４の上下位置を変更することが可能になる。
【００３２】
上側リンク２８の後端部は、支持ブラケット２５に形成される連結孔２５ｃに対し、ピン２８ａを介して連結されている。連結孔２５ｃは、支持ブラケット２５の揺動支軸２５ｄを中心とする円弧状の長孔であり、その範囲内で支持ブラケット２５の揺動が許容される。一方、上側リンク２８の前端部は、プランタケース７Ａ、７Ｂ又は横フレーム５に支軸２８ｂを介して上下揺動自在に支持されている。例えば、本実施形態では、右側の車輪跡消し装置２０に設けられる上側リンク２８の前端部が、１条植えプランタケース７Ｂの側面に突設した支軸２８ｂで上下揺動可能に支持され、左側の車輪跡消し装置２０に設けられる上側リンク２８の前端部が、横フレーム５から後方に延出する延長ブラケット２９で上下揺動可能に支持されている。
【００３３】
押圧力調節機構３０は、一端が支持ブラケット２５に係止され、且つ他端が下側リンク２７に係止されることにより、支持ブラケット２５を下方に付勢する捩りコイルばね３０ａと、支持ブラケット２５に形成され、捩りコイルばね３０ａの一端を選択的に係止可能な複数の係止溝２５ｅと、を備える。このような押圧力調節機構３０によれば、捩りコイルばね３０ａの一端を係止する係止溝２５ｅを選択的に変更することで、田面に対する整地板２４の押圧力を調節することが可能になる。
【００３４】
つぎに、植付作業機３に設けられる施肥用ノズル３１Ａ、３１Ｂ、３２Ａ、３２Ｂについて、主に図１１〜図１３を参照して説明する。
【００３５】
植付作業機３には、各植付位置の側方近傍で土中にペースト肥料を吐出する複数の側条施肥用ノズル３１Ａ、３１Ｂと、隣接する植付位置間において側条施肥用ノズル３１Ａ、３１Ｂよりも深層でペースト肥料を吐出する複数の深層施肥用ノズル３２Ａ、３２Ｂと、が設けられており、苗の植え付けと同時に側条施肥及び深層施肥を行うことができる。
【００３６】
しかしながら、７条植えの植付作業機３では、プランタケース７Ａの後部左右両側面部に植付機構８を備える２条植えプランタケース７Ｂと、プランタケース７Ａの後部左右いずれか一側面部に植付機構８を備える１条植えプランタケース７Ｂとが混在し、プランタケース７Ａ、７Ｂ間の間隔が不均等になるため、側条施肥用ノズル３１Ａ、３１Ｂ及び深層施肥用ノズル３２Ａ、３２Ｂの配置が難しいだけでなく、施肥量に過不足が生じる虞がある。
【００３７】
本実施形態では、７条植えの植付作業機３に側条施肥用ノズル３１Ａ、３１Ｂ及び深層施肥用ノズル３２Ａ、３２Ｂを配置するにあたり、センターフロート１８により整地された中央側３条分の植付位置には、２条植えプランタケース７Ａ及び１条植えプランタケース７Ｂの植付機構８で３条分の苗を植え付け、左右のサイドフロート１９により整地された外側２条分の植付位置には、それぞれ２条植えプランタケース７Ａの植付機構８で２条分の苗を植え付けるものとする。
【００３８】
また、２条植えプランタケース７Ａの植付機構８に対応して設けられる側条施肥用ノズル３１Ａは、２条分が一体化され、２条植えプランタケース７Ａの直下に配置されるセンターフロート１８又はサイドフロート１９に設けられる（図６参照）。センターフロート１８及びサイドフロート１９は、左右方向に沿う円筒状のノズル支持筒３３Ａと、ノズル支持筒３３Ａに回動自在に挿通されるノズル連結軸３４Ａと、を備えており、ノズル連結軸３４Ａの両端部に側条施肥用ノズル３１Ａが取り付けられている。また、ノズル支持筒３３Ａの一端部には、側条施肥用ノズル３１Ａの施肥深さ（格納を含む）を調節するための施肥深さ調節機構３５Ａが設けられている。
【００３９】
２条植えプランタケース７Ａの植付機構８に対応して設けられる深層施肥用ノズル３２Ａは、２条植えプランタケース７Ａの左右中心部に設けられる。２条植えプランタケース７Ａの前端部には、平面視コ字状のブラケット３６Ａと、ブラケット３６Ａに左右方向を向いて回動自在に支持されるノズル支軸３７Ａと、が設けられており、ノズル支軸３７Ａの中心部に深層施肥用ノズル３２Ａが取り付けられている。また、ノズル支軸３７Ａと２条植えプランタケース７Ａの一側面との間には、深層施肥用ノズル３２Ａの施肥深さ（格納を含む）を調節するための施肥深さ調節機構３８Ａが設けられている。
【００４０】
一方、１条植えプランタケース７Ｂの植付機構８に対応して設けられる深層施肥用ノズル３１Ｂは、１条植えプランタケース７Ｂの左右中心から植付機構８側にオフセットして設けられる。１条植えプランタケース７Ｂの前端部には、平面視コ字状のブラケット３６Ｂと、ブラケット３６Ｂに左右方向を向いて回動自在に支持されるノズル支軸３７Ｂと、が設けられており、ノズル支軸３７Ｂの一端部に深層施肥用ノズル３２Ｂが取り付けられている。また、ノズル支軸３７Ｂと１条植えプランタケース７Ｂの一側面との間には、深層施肥用ノズル３２Ｂの施肥深さ（格納を含む）を調節するための施肥深さ調節機構３８Ｂが設けられている。
【００４１】
１条植えプランタケース７Ａの植付機構８に対応して設けられる側条施肥用ノズル３１Ｂは、左右方向において植付機構８を挟んで深層施肥用ノズル３２Ｂの反対側に位置し、センターフロート１８（又はサイドフロート１９）に設けられる（図６参照）。センターフロート１８は、左右方向に沿う円筒状のノズル支持筒３３Ｂと、ノズル支持筒３３Ｂに回動自在に挿通されるノズル連結軸（図示せず）と、を備えており、ノズル連結軸の一端部に側条施肥用ノズル３１Ｂが取り付けられている。また、ノズル支持筒３３Ｂの一端部には、側条施肥用ノズル３１Ｂの施肥深さ（格納を含む）を調節するための施肥深さ調節機構３５Ｂが設けられている。
【００４２】
以上のような施肥用ノズル３１Ａ、３１Ｂ、３２Ａ、３２Ｂの配置構成によれば、１条植えプランタケース７Ｂの植付機構８に対応して設けられる深層施肥用ノズル３２Ｂは、１条植えプランタケース７Ｂにその左右中心から植付機構８側にオフセットして設けられるので、１条植えプランタケース７Ｂにおいて効率の良い深層施肥を行うことができる。
【００４３】
また、１条植えプランタケース７Ｂの植付機構８に対応して設けられる側条施肥用ノズル３１Ｂは、左右方向において植付機構８を挟んで深層施肥用ノズル３２Ｂの反対側に位置するので、オフセットされた深層施肥用ノズル３２Ｂとの干渉を回避できる。
【００４４】
また、１条植えプランタケース７Ｂに対応する深層施肥用ノズル３２Ｂは、２条植えプランタケース７Ａに対応する深層施肥用ノズル３２Ａと同様にプランタケース７Ｂに設けられ、１条植えプランタケース７Ｂに対応する側条施肥用ノズル３１Ｂは、２条植えプランタケース７Ａに対応する側条施肥用ノズル３１Ａと同様にセンターフロート１８又はサイドフロート１９に設けられるので、１条植えプランタケース７Ａに対応する深層施肥用ノズル３２Ａ及び側条施肥用ノズル３１Ａと、２条植えプランタケース７Ｂに対応する深層施肥用ノズル３２Ｂ及び側条施肥用ノズル３１Ｂと、の間で多くの部品を兼用化することが可能になる。
【００４５】
１条植えプランタケース７Ｂに対応して設けられる深層施肥用ノズル３２Ｂの肥料吐出量は、２条植えプランタケース７Ａに対応して設けられる深層施肥用ノズル３２Ａの肥料吐出量よりも抑制されることが好ましい。つまり、２条植えプランタケース７Ａに対応して設けられる深層施肥用ノズル３２Ａは、２条分の深層施肥を行うのに対し、１条植えプランタケース７Ｂに対応して設けられる深層施肥用ノズル３２Ｂは、１条分の深層施肥を行うものであるから、１条植えプランタケース７Ｂに対応して設けられる深層施肥用ノズル３２Ｂの肥料吐出量を、２条植えプランタケース７Ａに対応して設けられる深層施肥用ノズル３２Ａの肥料吐出量よりも抑制することにより、１条植えプランタケース７Ｂで植え付けられる苗に対する過剰な深層施肥を回避できる。
【００４６】
叙述の如く構成された本実施形態によれば、走行機体２の後部に７条植えの植付作業機３を連結して構成される乗用田植機１であって、植付作業機３は、左右方向に沿って配置される横フレーム５と、左右方向に間隔を存して横フレーム５から後方に延出する複数のプランタケース７Ａ、７Ｂと、複数のプランタケース７Ａ、７Ｂの上方に配置される苗載台６と、各プランタケース７Ａ、７Ｂの後部側面部に設けられ、苗載台６から苗を掻取って圃場に植付ける植付機構８と、中央側３条分の植付位置を整地するセンターフロート１８と、外側２条分の植付位置を整地する左右のサイドフロート１９と、各植付位置の側方で土中にペースト肥料を吐出する複数の側条施肥用ノズル３１Ａ、３１Ｂと、側条施肥用ノズル３１Ａ、３１Ｂよりも深層でペースト肥料を吐出する複数の深層施肥用ノズル３２Ａ、３２Ｂと、を備え、複数のプランタケース７Ａ、７Ｂは、プランタケース７Ａの後部左右両側面部に植付機構８を備える２条植えプランタケース７Ａと、プランタケース７Ｂの後部左右いずれか一側面部に植付機構８を備える１条植えプランタケース７Ｂと、を含み、センターフロート１８により整地された中央側３条分の植付位置には、２条植えプランタケース７Ａ及び１条植えプランタケース７Ｂの植付機構８で３条分の苗が植え付けられ、左右のサイドフロート１９により整地された外側２条分の植付位置には、それぞれ２条植えプランタケース７Ａの植付機構８で２条分の苗が植え付けられ、２条植えプランタケース７Ａの植付機構８に対応して設けられる側条施肥用ノズル３１Ａは、２条分が一体化され、２条植えプランタケース７Ａの直下に配置されるセンターフロート１８又はサイドフロート１９に設けられ、２条植えプランタケース７Ａの植付機構８に対応して設けられる深層施肥用ノズル３２Ａは、２条植えプランタケース７Ａの左右中心部に設けられ、１条植えプランタケース７Ｂの植付機構８に対応して設けられる深層施肥用ノズル３２Ｂは、１条植えプランタケース７Ｂにその左右中心から植付機構８側にオフセットして設けられ、１条植えプランタケース７Ｂの植付機構８に対応して設けられる側条施肥用ノズル３１Ｂは、左右方向において植付機構８を挟んで深層施肥用ノズル３２Ｂの反対側に位置し、センターフロート１８に設けられる。つまり、１条植えプランタケース７Ｂの植付機構８に対応して設けられる深層施肥用ノズル３２Ｂは、１条植えプランタケース７Ｂにその左右中心から植付機構８側にオフセットして設けられるので、１条植えプランタケース７Ｂにおいて効率の良い深層施肥を行うことができる。また、１条植えプランタケース７Ｂの植付機構８に対応して設けられる側条施肥用ノズル３１Ｂは、左右方向において植付機構８を挟んで深層施肥用ノズル３２Ｂの反対側に位置するので、オフセットされた深層施肥用ノズル３２Ｂとの干渉を回避できる。また、１条植えプランタケース７Ｂに対応する深層施肥用ノズル３２Ｂは、２条植えプランタケース７Ａに対応する深層施肥用ノズル３２Ａと同様にプランタケース７Ｂに設けられ、１条植えプランタケース７Ｂに対応する側条施肥用ノズル３１Ｂは、２条植えプランタケース７Ａに対応する側条施肥用ノズル３１Ａと同様にセンターフロート１８に設けられるので、１条植えプランタケース７Ｂに対応する深層施肥用ノズル３２Ｂ及び側条施肥用ノズル３１Ｂと、２条植えプランタケース７Ａに対応する深層施肥用ノズル３２Ａ及び側条施肥用ノズル３１Ａと、の間で多くの部品を兼用化できる。
【００４７】
また、１条植えプランタケース７Ｂに対応して設けられる深層施肥用ノズル３２Ｂの肥料吐出量は、２条植えプランタケース７Ａに対応して設けられる深層施肥用ノズル３２Ａの肥料吐出量よりも抑制されるので、１条植えプランタケース７Ｂで植え付けられる苗に対する過剰な深層施肥を回避できる。
【符号の説明】
【００４８】
１  乗用田植機
２  走行機体
３  植付作業機
５  横フレーム
６  苗載台
７Ａ  ２条植えプランタケース
７Ｂ  １条植えプランタケース
８  植付機構
１０  植付伝動軸
１３  ローリング軸
１６  掻取量調節レバー
１７  植付深さ調節レバー
１８  センターフロート
１９  サイドフロート
２０  車輪跡消し装置
２２  フロート連結軸
２３  フロート支持アーム
２４  整地板
２４ｄ  泥水案内部
２４ｅ  切欠き部
２５  支持ブラケット
２６  平行リンク機構
３０  押圧力調節機構
３１Ａ、３１Ｂ  側条施肥用ノズル
３２Ａ、３２Ｂ  深層施肥用ノズル
【図１】
2018011541.tif 000003
【図２】
2018011541.tif 000004
【図３】
2018011541.tif 000005
【図４】
2018011541.tif 000006
【図５】
2018011541.tif 000007
【図６】
2018011541.tif 000008
【図７】
2018011541.tif 000009
【図８】
2018011541.tif 000010
【図９】
2018011541.tif 000011
【図１０】
2018011541.tif 000012
【図１１】
2018011541.tif 000013
【図１２】
2018011541.tif 000014
【図１３】
2018011541.tif 000015